(57)【特許請求の範囲】
【請求項１】
引取キャプスタンと、該キャプスタンとの間に線条体を数回巻架するための補助ローラとを備え、上記補助ローラを該ローラ取付軸と一体的に傾動自在に構成すると共に、該ローラ取付軸の軸方向位置を調整可能とした線条体の引取装置において、補助ローラ取付軸に当接するように３本または４本の調整ボルトを円周方向に等間隔で配置し、該調整ボルトを緊締又は弛緩することにより補助ローラおよび取付軸を傾動自在に構成し、補助ローラ取付軸の軸方向位置をセットボルトで調整することを特徴とする線条体の引取装置。
【請求項２】
引取キャプスタン及び補助ローラが平ローラであることを特徴とする請求項１記載の線条体の引取装置。
【発明の詳細な説明】
【０００１】
【産業上の利用分野】
本発明は、伸線機、圧延機等に付随して設置される線条体の引取装置に関するものである。
【０００２】
【従来の技術および発明が解決しようとする課題】
伸線、圧延等の加工がなされた線条体を巻取るに際し、一定の引抜力を付与し、且つ巻取駆動源の負担を軽減するために、巻取装置の前方には少なくとも１つの引取装置が設置されている。この引取装置は、一般に駆動力が負荷される引取キャプスタンと、その取付軸が上記キャプスタンの取付軸に対して略平行に配置される補助ローラとから構成されている。そして、引取キャプスタンと補助ローラに線条体を数回巻架することで、引取張力を安定させると共に線条体にかかる引張・圧縮・曲げ応力を緩和して線条体を引取るようにしている。
【０００３】
従来の引取装置は、図２(イ) にその概略構成を示す如く、引取キャプスタン１１および補助ローラ１２に平ローラを使用し、これらの取付軸１３、１４が平行に配置されている。しかし、この場合、取付軸１３、１４が平行であるために、巻架された線条体Ｗには入線ラインＬ上へ集合しようとする力が働き、線条体Ｗは密接状態で引取られることになる。その結果、線条体同志の擦れや、引取キャプスタン１１、補助ローラ１２上で隣接する線条体の線噛み等を生じ、線条体Ｗに疵をつけたり、線ぐせを変化させたりする等の品質劣化を招きやすくなる。
【０００４】
上記問題を解消するために、図２(ロ) に示す如く、補助ローラ１２ａに環状溝１５を付け、巻架される線条体Ｗの相互間に間隙を設けることが試みられている。しかし、この引取装置においても、環状溝１５の周縁鍔部１６に線条体Ｗが擦れて、上記のように線条体Ｗに疵を付けたり、線ぐせを変化させたりする等の品質劣化を避けることができない。また、長期使用によって補助ローラ１２ａに線条体通過による特有の条溝が彫り刻まれた場合、溝付周面を再生するのは非常に手間がかかる。
【０００５】
そこで、本発明者は、巻架した線条体が引取中に密接するように移動する原因について鋭意研究したところ、引取キャプスタン取付軸と補助ローラ取付軸の位置関係に原因があることが分かった。すなわち、図２(ハ) に示すごとく、補助ローラ１２の取付軸１４を引取キャプスタン１１の取付軸１３に対して反取付軸側（Ｎ）にやや拡幅するように取付台１７に傾斜して取付けた場合、線条体Ｗには入線ラインＬ上に集合しようとする力に対して、図３(イ) に示すように、取付軸側（Ｄ）に移動しようとする力ｆ1 が付加されるので、線条体Ｗの密接度は図２(イ) の場合より、さらに高まる。
【０００６】
そこで、図２(ニ) のように、補助ローラ１２の取付軸１４を引取キャプスタン１１の取付軸１３に対して反取付軸側（Ｎ）にやや縮幅するように取付台１７に傾斜して取付けた場合、図３(ロ) に示すように、線条体Ｗには反取付軸側（Ｎ）に移動しようとする力ｆ2 が作用するので、入線ラインＬ上に集合しようとする力との間でバランスが保たれ、図２(ニ) に示すように、隣接する線条体Ｗの間には適当な間隙が形成される。従って、上記したような線擦れや線噛みは発生しないように巻架することが可能となる。ところが、この引取装置においては、補助ローラ１２の傾斜度の調整は、取付軸支承板１８と取付台１７との間に適当な厚みのライナーを介在させることによって行うため、微調整が困難で、多大な調整時間を要する。その上、図２(ハ) または(ニ) のように補助ローラ取付軸の傾斜角度を変化させると、引取キャプスタン１１と補助ローラ１２とのローラ軸長手方向の位置関係が変化するので、線条体Ｗを整然と巻架できない。そこで、スムーズに線条体を巻架するためには、補助ローラ１２の軸方向位置を簡単に調整できる手段をも備える必要がある。
【０００７】
本発明は従来の技術の有するこのような問題点に鑑みてなされたものであって、その目的は、線条体同志の擦れや線噛みを防止する調整手段を備え、且つその調整が迅速且つ容易に行える線条体の引取装置を提供することにある。
【０００８】
【課題を解決するための手段】
上記目的を達成するために本発明の要旨は、引取キャプスタンと、該キャプスタンとの間に線条体を数回巻架するための補助ローラとを備え、上記補助ローラを該ローラ取付軸と一体的に傾動自在に構成すると共に、該ローラ取付軸の軸方向位置を調整可能とした線条体の引取装置において、補助ローラ取付軸に当接するように３本または４本の調整ボルトを円周方向に等間隔で配置し、該調整ボルトを緊締又は弛緩することにより補助ローラおよび取付軸を傾動自在に構成し、補助ローラ取付軸の軸方向位置をセットボルトで調整することを特徴とする線条体の引取装置を第一の発明とし、
上記第一の発明において、引取キャプスタン及び補助ローラが平ローラであることを特徴とする線条体の引取装置を第二の発明とする。
【０００９】
【作用】
補助ローラをその取付軸と一体的に傾動自在とするように、円周方向に等間隔で配置した３本または４本の調整ボルトを補助ローラの取付軸に当接するようにしたので、３本または４本の調整ボルトを緊締又は弛緩することにより補助ローラの取付軸と引取キャプスタンの取付軸との立体的な位置関係を適宜調整し、線条体に線摺れや線噛みを起こさずに補助ローラに巻架することが可能となる。また、補助ローラの傾斜に伴って補助ローラと引取キャプスタンとの軸方向の位置関係が変化しても、セットボルトを調整することにより補助ローラをその軸方向に適当量移動して固定することで、線条体を補助ローラに整然と巻架することができる。
【００１０】
【実施例】
以下に本発明の実施例を図面に基づいて説明する。
図１は本発明の線条体の引取装置における補助ローラ及びその取付部を示す一部破断側面図である。
同図において、１は補助ローラであり、玉軸受２を介して回転自在となるようにローラ取付軸３に取付けられている。ローラ取付軸３は、取付軸支承板４、取付台５を貫通して調整ブロック６の内部まで達している。ローラ取付軸３の略方形断面の端部７に対して調整ブロック６の貫通タップ８に螺合する調整ボルト９が直角に当接している。この調整ボルト９は２本のボルトを１組としてローラ取付軸３の端部７を挟持するように対向して配置され、紙面直角方向にもう１組の調整ボルトが配置され、計４本の調整ボルトでローラ取付軸３の端部７を挟持している。この場合、調整ボルト４本を円周方向に９０°間隔で配置したが、それ以外の方法として、３本の調整ボルトを円周方向に略１２０°間隔毎に配置するのが好ましい。というのは、ローラ取付軸３を対向する２本のボルトのみで挟持する場合、引取キャプスタン取付軸との平行度の調整を一平面内でしか行えず、立体的な平行度の調整ができない。また、調整ボルトの本数を５本以上にした場合、その緊締・弛緩の調整が面倒且つ煩雑だからである。
【００１１】
また、ローラ取付軸３は軸方向に摺動可能であり、フランジユニット４の貫通タップに挿通されたセットボルト１０によってローラ取付軸の軸方向の移動が抑止される。
【００１２】
係る構成において、４本の調整ボルト９を締めつけたり、あるいは緩めたりすることによって、フランジユニット４を支点として補助ローラ１をローラ取付軸３とともに任意の方向に自在に傾動させることができる。そして、補助ローラのローラ取付軸３を傾斜させることによって引取キャプスタンと補助ローラとの間に生じたローラ軸長手方向の位置関係を修正する場合は、セットボルト１０を緩めてローラ取付軸３を軸方向に適当量移動させた後セットボルト１０を締めつければよい。
【００１３】
【発明の効果】
本発明は上記のように構成されているので、次の効果を奏する。
【００１４】
▲１▼  補助ローラの取付軸は、円周方向に等間隔で配置した３本または４本の調整ボルトを緊締又は弛緩することにより立体的に傾動自在であるので、補助ローラと引取キャプスタンとの傾斜度を適当量に調整し、線条体に線摺れや線噛みを生じることなく巻架することが可能である。しかも、補助ローラ取付軸の軸方向位置が調整可能なので、補助ローラの傾斜角度に関係なく、常に整然と線条体を巻架することができる。
【００１５】
▲２▼  また、補助ローラの傾動および軸方向位置の調整を調整ボルトとセットボルトの組合せで行うようにすれば、作業工数の大幅な削減が可能となる。
【００１６】
▲３▼  さらに、引取キャプスタンおよび補助ローラを平ローラとすれば、線条体の擦れ等の品質欠陥を略皆無とすることが可能で、大幅な品質向上を図ることができる。
【図面の簡単な説明】
【図１】本発明の線条体の引取装置における補助ローラ及びその取付部を示す一部破断側面図である。
【図２】図２(イ)(ロ)(ハ)(ニ)は、補助ローラ取付軸と引取キャプスタン取付軸との位置関係が線条体の巻架状態に及ぼす影響を示す概略構成図で、図２(イ) は平らな補助ローラを引取キャプスタンに平行に配置した例を示す図、図２(ロ) は補助ローラに環状溝を付した例を示す図、図２(ハ) は平らな補助ローラを引取キャプスタンに傾斜して配置した例を示す図、図２(ニ) は平らな補助ローラを引取キャプスタンに傾斜して配置した別の例を示す図である。
【図３】図３(イ)(ロ)は補助ローラ傾斜方向と線条体の移動方向を説明する図である。
【符号の説明】
１、１２、１２ａ…補助ローラ
３…ローラ取付軸
９…調整ボルト
１０…セットボルト
１１…引取キャプスタン
Ｗ…線条体
【図１】
0003694327.tif 000002
【図２】
0003694327.tif 000003
【図３】
0003694327.tif 000004